【手続補正書】
【提出日】平成31年2月12日(2019.2.12)
【手続補正１】
【補正対象書類名】特許請求の範囲
【補正対象項目名】全文
【補正方法】変更
【補正の内容】
【特許請求の範囲】
【請求項１】
感光体と、前記感光体に作用し、芯金軸と前記芯金軸を被覆する被覆層とを有するローラと、前記ローラを回転可能に支持するローラ支持部と、前記ローラの長手方向に関して前記ローラの位置を規制する規制部と、を備えるカートリッジにおいて、
前記ローラ支持部は前記ローラの回転軸線の方向に関して、前記芯金軸の一端部と他端部にそれぞれ設けられ、前記一端部に設けられる第１のローラ支持部と前記他端部に設けられる第２のローラ支持部と、で構成されて前記ローラを支持し、
前記ローラは、前記芯金軸の一端部において前記第１のローラ支持部に回転可能に支持される第１の被支持部と、前記芯金軸の他端部において前記第２のローラ支持部に回転可能に支持される第２の被支持部と、をそれぞれ備え、
前記第１の被支持部ならびに前記第２の被支持部は、前記ローラの長手方向において前記被覆層と重なる位置に配置されていることを特徴とするカートリッジ。
【請求項２】
前記芯金軸は、中空の軸であり、
前記回転軸線の方向で前記芯金軸の両端に嵌合して固定された端部部材を有し、前記端部部材に前記第１の被支持部ならびに前記第２の被支持部を設けることを特徴とする請求項１に記載のカートリッジ。
【請求項３】
前記芯金軸は、中実の軸であり、
前記回転軸線の方向で前記芯金軸の両端に形成され、前記回転軸線の方向で端部から内側に向けて形成される凹状の凹部であって、前記回転軸線の方向の端部よりも内側に、前記端部に形成された穴より内径の細い細穴を備えた凹部を備え、
前記第１の被支持部ならびに前記第２の被支持部は、前記細穴の内周面に設けられていることを特徴とする請求項１に記載のカートリッジ。
【請求項４】
前記ローラを前記感光体に向けて付勢する付勢手段を有することを特徴とする請求項１乃至３のいずれか一項に記載のカートリッジ。
【請求項５】
前記付勢手段は、弾性を有する一部材で構成されていることを特徴とする請求項４に記載のカートリッジ。
【請求項６】
前記付勢手段は、ねじりコイルばねであることを特徴とする請求項４に記載のカートリッジ。
【請求項７】
前記ローラ支持部は、前記ローラの軸方向に設けられており、
前記ローラ支持部を前記軸方向に貫通させ、前記ローラの前記感光体の周方向の変動を規制する穴を有することを特徴とする請求項１乃至４のいずれか１項に記載のカートリッジ。
【請求項８】
給電部から給電を受ける給電部材を有し、
前記給電部材は、前記付勢手段に接触しており、前記付勢手段を介して前記ローラに電圧が印加されることを特徴とする請求項４乃至７のいずれか１項に記載のカートリッジ。
【請求項９】
前記給電部材は、前記長手方向に関して、前記感光体に駆動力を入力される側とは反対側に設けられていることを特徴とする請求項８に記載のカートリッジ。
【請求項１０】
前記ローラは、前記感光体の軸を中心として、前記感光体に前記駆動力を入力される側が、前記給電部材が設けられている側に対し、前記感光体の回転方向上流側に位置するよう、前記感光体の軸に対して前記ローラの回転軸が傾けられていることを特徴とする請求項９に記載のカートリッジ。
【請求項１１】
前記ローラは前記感光体を帯電する帯電ローラであることを特徴とする請求項１乃至１０のいずれか一項に記載のカートリッジ。
【請求項１２】
前記ローラは前記感光体にトナーを付着させる現像ローラであることを特徴とする請求項１乃至１０のいずれか一項に記載のカートリッジ。
【請求項１３】
前記ローラは前記感光体に形成されたトナー像を被転写体に転写させる転写ローラであることを特徴とする請求項１乃至１０のいずれか一項に記載のカートリッジ。
【請求項１４】
前記第１の被支持部ならびに前記第２の被支持部は、前記回転軸線の方向に関して前記芯金軸の両端に配置され前記回転軸線を中心として前記回転軸線の方向に延びる円筒形状の穴の内周面に設けられていることを特徴とする請求項１乃至１３のいずれか一項に記載のカートリッジ。
【請求項１５】
感光体と、前記感光体に作用し、中空の芯金軸と前記芯金軸を被覆する被覆層とを有するローラと、前記ローラを回転可能に支持するローラ支持部と、前記ローラの長手方向に関して前記ローラの位置を規制する規制部と、を備え、記録媒体に画像を形成する画像形成装置であって、
前記ローラ支持部は前記ローラの回転軸線の方向に関して、前記芯金軸の一端部と他端部にそれぞれ設けられ、前記一端部に設けられる第１のローラ支持部と前記他端部に設けられる第２のローラ支持部と、で構成されて前記ローラを支持し、
前記ローラは、前記芯金軸の一端部において前記第１のローラ支持部に回転可能に支持される第１の被支持部と、前記芯金軸の他端部において前記第２のローラ支持部に回転可能に支持される第２の被支持部と、をそれぞれ備え、
前記第１の被支持部ならびに前記第２の被支持部は、前記ローラの長手方向において前記被覆層と重なる位置に配置されていることを特徴とする画像形成装置。
【請求項１６】
前記芯金軸は、中空の軸であり、
前記回転軸線の方向で前記芯金軸の両端に嵌合して固定された端部部材を有し、前記端部部材に前記第１の被支持部ならびに前記第２の被支持部を設けることを特徴とする請求項１５に記載の画像形成装置。
【請求項１７】
前記芯金軸は、中実の軸であり、
前記回転軸線の方向で前記芯金軸の両端に形成され、前記回転軸線の方向で端部から内側に向けて形成される凹状の凹部であって、前記回転軸線の方向の端部よりも内側に、前記端部に形成された穴より内径の細い細穴を備えた凹部を備え、
前記第１の被支持部ならびに前記第２の被支持部は、前記細穴の内周面に設けられていることを特徴とする請求項１５に記載の画像形成装置。
【請求項１８】
前記ローラを前記感光体に向けて付勢する付勢手段を有することを特徴とする請求項１５乃至１７のいずれか一項に記載の画像形成装置。
【請求項１９】
前記付勢手段は、弾性を有する一部材で構成されていることを特徴とする請求項１８に記載の画像形成装置。
【請求項２０】
前記付勢手段は、ねじりコイルばねであることを特徴とする請求項１８に記載の画像形成装置。
【請求項２１】
前記ローラ支持部は、前記ローラの軸方向に設けられており、
前記ローラ支持部を前記軸方向に貫通させ、前記ローラの前記感光体の周方向の変動を規制する穴を有することを特徴とする請求項１５乃至２０のいずれか１項に記載の画像形成装置。
【請求項２２】
給電部から給電を受ける給電部材を有し、
前記給電部材は、前記付勢手段に接触しており、前記付勢手段を通して前記ローラに電圧が印加されることを特徴とする請求項１８乃至２１のいずれか１項に記載の画像形成装置。
【請求項２３】
前記給電部材は、前記長手方向に関して、前記感光体に駆動力を入力される側とは反対側に設けられていることを特徴とする請求項２２に記載の画像形成装置。
【請求項２４】
前記ローラは、前記感光体の軸を中心として、前記感光体に前記駆動力を入力される側が、前記給電部材が設けられている側に対し、前記感光体の回転方向上流側に位置するよう、前記感光体の軸に対して前記ローラの回転軸が傾けられていることを特徴とする請求項２３に記載の画像形成装置。
【請求項２５】
前記ローラは前記感光体を帯電する帯電ローラであることを特徴とする請求項１５乃至２４のいずれか一項に記載の画像形成装置。
【請求項２６】
前記ローラは前記感光体にトナーを付着させる現像ローラであることを特徴とする請求項１５乃至２４のいずれか一項に記載の画像形成装置。
【請求項２７】
前記ローラは前記感光体に形成されたトナー像を被転写体に転写させる転写ローラであることを特徴とする請求項１５乃至２４のいずれか一項に記載の画像形成装置。
【請求項２８】
前記第１の被支持部ならびに前記第２の被支持部は、前記回転軸線の方向に関して前記芯金軸の両端に配置され前記回転軸線を中心として前記回転軸線の方向に延びる円筒形状の穴の内周面に設けられていることを特徴とする請求項１５乃至２７のいずれか一項に記載の画像形成装置。
【手続補正２】
【補正対象書類名】明細書
【補正対象項目名】００１１
【補正方法】変更
【補正の内容】
【００１１】
上記目的を達成するため、本発明の代表的な構成は、感光体と、前記感光体に作用し、芯金軸と前記芯金軸を被覆する被覆層とを有するローラと、前記ローラを回転可能に支持するローラ支持部と、前記ローラの長手方向に関して前記ローラの位置を規制する規制部と、を備えるカートリッジにおいて、前記ローラ支持部は前記ローラの回転軸線の方向に関して、前記芯金軸の一端部と他端部にそれぞれ設けられ、前記一端部に設けられる第１のローラ支持部と前記他端部に設けられる第２のローラ支持部と、で構成されて前記ローラを支持し、前記ローラは、前記芯金軸の一端部において前記第１のローラ支持部に回転可能に支持される第１の被支持部と、前記芯金軸の他端部において前記第２のローラ支持部に回転可能に支持される第２の被支持部と、をそれぞれ備え、前記第１の被支持部ならびに前記第２の被支持部は、前記ローラの長手方向において前記被覆層と重なる位置に配置されていることを特徴とする。